(57)【特許請求の範囲】
【請求項１】
光情報記録媒体への情報の記録を行う光情報記録装置であって、
上記光情報記録媒体の通常シーク動作でアクセス可能な領域に、記録動作に伴う再生処理時にエラーを発生させる規格外の信号が含まれているか否かを判別する判別手段と、
記録動作に伴う再生処理時に、当該光情報記録媒体の通常シーク動作でアクセス可能な領域に上記規格外の信号が含まれていると上記判別手段が判別した場合、直ちに当該再生および記録動作を中止する手段と、
記録動作に伴う再生処理時に、当該光情報記録媒体の通常シーク動作でアクセス可能な領域に上記規格外の信号が含まれていないと上記判別手段が判別した場合、当該情報と共に上記規格外の信号を当該光情報記録媒体の通常のシーク動作でアクセス可能な領域に記録する手段と
を有することを特徴とする光情報記録装置。
【請求項２】
光情報記録媒体に記録された情報を再生すると共に、光情報記録媒体に記録された情報を他の光情報記録媒体にコピーする光情報再生記録装置であって、
上記光情報記録媒体の通常シーク動作でアクセス可能な領域に、再生時にエラーを発生させる規格外の信号が含まれているか否かを判別する判別手段と、
記録動作に伴う再生処理時に、当該光情報記録媒体の通常シーク動作でアクセス可能な領域に上記規格外の信号が含まれていると上記判別手段が判別した場合、直ちに当該再生および記録動作を中止する手段と、
記録動作に伴う再生処理時に、当該光情報記録媒体の通常シーク動作でアクセス可能な領域に上記規格外の信号が含まれていないと上記判別手段が判別した場合、当該情報と共に上記規格外の信号を当該光情報記録媒体の通常のシーク動作でアクセス可能な領域に記録する手段と、
記録動作を伴わない再生処理時に、当該光情報記録媒体の通常シーク動作でアクセス可能な領域に上記規格外の信号が含まれていると上記判別手段が判別した場合、該規格外の信号を除き再生する手段と、
記録動作を伴わない再生処理時に、当該光情報記録媒体の通常シーク動作でアクセス可能な領域に上記規格外の信号が含まれていないと上記判別手段が判別した場合、通常の再生を行う手段と
を有することを特徴とする光情報再生記録装置。
【請求項３】
光情報記録媒体への情報の記録を行う光情報記録装置の処理方法であって、
記録動作に伴う再生処理時に、当該光情報記録媒体の通常シーク動作でアクセス可能な領域に、上記記録動作に伴う再生処理時にエラーを発生させる規格外の信号が含まれているか否かを判別する第１のステップと、
上記規格外の信号が含まれていると判別した場合、直ちに当該再生および記録動作を中止する第２のステップと、
上記規格外の信号が含まれていないと判別した場合、当該情報と共に上記規格外の信号を当該光情報記録媒体の通常のシーク動作でアクセス可能な領域に記録する第３のステップと
を有することを特徴とする光情報処理方法。
【請求項４】
光情報記録媒体に記録された情報を再生すると共に、光情報記録媒体に記録された情報を他の光情報記録媒体にコピーする光情報記録装置の処理方法であって、
記録動作に伴う再生処理時に、当該光情報記録媒体の通常シーク動作でアクセス可能な領域に、再生時にエラーを発生させる規格外の信号が含まれているか否かを判別する第１のステップと、
上記規格外の信号が含まれていると判別した場合、直ちに当該再生および記録動作を中止する第２のステップと、
上記規格外の信号が含まれていないと判別した場合、当該情報と共に上記規格外の信号を当該光情報記録媒体の通常のシーク動作でアクセス可能な領域に記録する第３のステップと、
記録動作を伴わない再生処理時に、当該光情報記録媒体の通常シーク動作でアクセス可能な領域に上記規格外の信号が含まれているか否かを判別する第４のステップと、
上記規格外の信号が含まれていると判別した場合、該規格外の信号を除いて再生動作を行う第５のステップと、
上記規格外の信号が含まれていないと判別した場合、通常の再生を行う第６のステップと
を有することを特徴とする光情報処理方法。
【請求項５】
請求項３もしくは請求項４のいずれかに記載の光情報処理方法であって、
上記光情報記録媒体の通常シーク動作でアクセス可能な領域は、リードイン領域からなり、
上記第３のステップにおいて、上記リードイン領域のダミー信号を上記規格外の信号に変換することを特徴とする光情報処理方法。
【請求項６】
請求項３もしくは請求項４のいずれかに記載の光情報処理方法であって、
上記光情報記録媒体の通常シーク動作でアクセス可能な領域は、リードイン領域からなり、
上記第３のステップにおいて、上記リードイン領域のダミー信号を規格外の変調方式で変調して上記規格外の信号に変換することを特徴とする光情報処理方法。
【請求項７】
請求項３もしくは請求項４のいずれかに記載の光情報処理方法であって、
上記光情報記録媒体の通常シーク動作でアクセス可能な領域は、リードイン領域からなり、
上記第３のステップにおいて、上記リードイン領域におけるＴＯＣ情報を規格外の変調方式で変調して上記規格外の信号に変換することを特徴とする光情報処理方法。
【請求項８】
請求項３もしくは請求項４のいずれかに記載の光情報処理方法であって、
上記光情報記録媒体の通常シーク動作でアクセス可能な領域は、データ領域の前領域からなり、
上記第３のステップにおいて、上記データ領域の前領域に上記規格外の信号からなるトラックを記録することを特徴とする光情報処理方法。
【請求項９】
請求項３もしくは請求項４のいずれかに記載の光情報処理方法であって、
上記光情報記録媒体の通常シーク動作でアクセス可能な領域は、データ領域の任意の箇所からなり、
上記第３のステップにおいて、上記データ領域の任意の箇所に上記規格外の信号からなるトラックを記録することを特徴とする光情報処理方法。
【発明の詳細な説明】
【０００１】
【発明の属する技術分野】
本発明は、ＣＤ（Compact Disc）やＤＶＤ（Digital Video/Versatile Disc）等、光ディスクを記録媒体として用いて情報の記録、再生を行う技術に係わり、特に、光ディスクの不正コピー防止を効率的に行うのに好適な光情報記録装置と光情報再生装置および光情報記録方法と光情報再生方法に関するものである。
【０００２】
【従来の技術】
光ディスクに記録された情報（デジタル信号）、例えば、ＣＤに記録された情報は、ＣＤ−Ｒ（Compact Disc-Ｒecordable）ドライブを用いてＣＤ−Ｒにコピーすることが容易にできる。このようなコピー（複製）が不正に行われることを防止することを目的として、このＣＤ−Ｒからはさらにコピーができないように（コピープロテクト）するために、このＣＤ−Ｒへの情報の記録時に、記録履歴も同時に記録する技術がある。すなわち、この記録履歴があると、ＣＤ−Ｒドライブは、コピー元がＣＤ−Ｒであると認識し、このＣＤ−Ｒからの情報のコピーを行わない。
【０００３】
しかし、このようなコピープロテクトの技術では、記録履歴を認識させないようにＣＤ−Ｒドライブの改造を行うことにより、デジタル信号のコピーを何回も行うことができる。また、ＣＤ−Ｒの記録データを丸ごとコピーするような装置を用いれば、簡単に正規のＣＤ−Ｒとして受け付けられ、コピーを何回でも行うことができる。
【０００４】
このような問題に対処するための従来技術として、例えば、特願平５−２０７１３６号（特許２８０６２１９号）や特開平１０−１９９０３２号公報および特開平１１−５３８２２号公報等に記載のものがある。
【０００５】
特願平５−２０７１３６号（特許２８０６２１９号）の技術では、光ディスクにおいて、トラック中心に対して非対称に、すなわち、通常の読み取り動作では読みとれない位置に「傷ピット」を設け、この「傷ピット」が無ければ、当該光ディスクがコピーされたものであると判別している。
【０００６】
また、特開平１０−１９９０３２号公報に記載の技術では、光ディスクにおける第１トラックの前領域のリードイン領域（Ｌｉｎ：Lead IN領域）、あるいは、最終トラックの後領域のリードアウト領域（Ｌｏｕｔ：Lead OUT領域）の一方を規格内で延長し、コピー用の再生機構では読み出せない領域を作成し、その領域にセキュリティ情報を記録し、この領域にセキュリティ情報が無い光ディスクは不正なコピーディスクであると判別する。
【０００７】
また、特開平１１−５３８２２号公報に記載の技術では、光ディスクにおけるリードイン領域よりも内周側に、すなわち、通常のコピー動作ではコピーできない領域にセキュリティ領域を設けてセキュリティ情報を記録し、さらに、リードイン領域とセキュリティ領域間に鏡面領域を設けることにより、この光ディスクをコピーした光ディスクには、セキュリティ領域とセキュリティ情報が存在しないようにして、コピーディスクであることを判別可能とする。
【０００８】
しかし、これらの技術では、通常のシーク動作ではアクセスされない特別な領域を設け、そこにセキュリティ情報を格納するものであり、光ピックアップを、それらの特別の領域に移動させて、セキュリティ情報の検出を行わなければならず、サーボ機構の制御や読み取りタイミング制御等、複雑な処理が必要になる。
【０００９】
また、これらの技術では、不正にコピーされ、セキュリティ情報の無い光ディスクであっても、再生装置側で、そのセキュリティ情報の検出とそれに伴う再生防止制御動作を行わないようにすれば、すなわち、従来用いられている通常の再生装置であれば、不正コピーディスクからの再生が可能であり、不正コピーディスクの利用を防止することはできない。
【００１０】
【発明が解決しようとする課題】
解決しようとする問題点は、従来の技術では、通常のシーク動作ではアクセスされない特別な領域を設けてセキュリティ情報の記録・再生を行わなければならない点と、セキュリティ情報を検出しない再生装置であれば、不正コピーディスクからの再生が可能であり、不正コピーディスクの利用を防止することはできない点である。
【００１１】
本発明の目的は、これら従来技術の課題を解決し、光ディスクの不正なコピーを効率的に防止することが可能な光情報記録装置と光情報再生装置および光情報記録方法と光情報再生方法を提供することである。
【００１２】
【課題を解決するための手段】
上記目的を達成するため、本発明の光情報記録装置と光情報再生装置および光情報記録方法と光情報再生方法では、光ディスクへの情報の記録時に、記録対象の情報の内、再生時に読み飛ばし等しても支障のない部分に規格外の信号を、通常のシーク動作でアクセスされるＬｉｎ、Ｄａｔａ、Ｌｏｕｔの各領域等に記録することにより、この規格外の信号に対応する特定の手段を有しない記録・再生装置では再生処理やコピー処理ができないようにする。
【００１３】
規格外の信号としては、例えば、ＣＤ−Ｒであれば、３Ｔ〜１１Ｔ（１Ｔ：基準）以外の長さのピットや、２−７変調等のＥＦＭ（Eight to Fourteen Modulation）変調以外で変調した信号等があり、これらの規格外の信号をＬｉｎ領域のダミー信号の代わりに記録したり、これらの規格外の信号を、Ｄａｔａ領域前やＤａｔａ領域内に追加して記録する。
【００１４】
これらの規格外の信号に対応する特定の手段では、再生時には、その信号を検出すると、その信号に対する読み取りを行わず次の規格内の信号の読み取りを行い、あるいは、対応する変調方式で変調し、また、コピー時には、その信号を検出すると、直ちにコピー動作を中止する。
【００１５】
【発明の実施の形態】
以下、本発明の実施の形態を、図面により詳細に説明する。
【００１６】
図１は、本発明に係る光情報記録装置の構成例を示すブロック図である。
本図１においては、光情報記録装置としてＣＤ−Ｒドライブを例に示しており、光ディスク１、光ピックアップ２、モータ３、ドライバ４ａ〜４ｄ、信号処理部５、制御用ＤＳＰ６（Digital Signal Processor）６、サーボ処理部７により構成されている。
【００１７】
光ピックアップ２には、対物レンズ２ａと、ビームスプリッタ２ｂ、レーザ半導体（図中、「ＬＤ」と記載）２ｃ、光検出器（図中、「ＰＤ」と記載）２ｄが設けられ、また、信号処理部５には、コピー対応部８が設けられ、このコピー対応部８は、判別部８ａと信号編集部８ｂ、信号操作部８ｃを有している。
【００１８】
このような構成からなるＣＤ−Ｒドライブにおける動作について、まず、その通常の再生動作を説明する。
通常の情報記録がなされている光ディスク１に、光ピックアップ２の半導体レーザ２ｃからのレーザ光をビームスプリッタ２ｂおよび対物レンズ２ａを介して照射し、その反射光を、対物レンズ２ａおよびビームスプリッタ２ｂを介して光検出器２ｄで受光する。
【００１９】
光検出器２ｄは、受光した反射光の強度に対応した電気信号を出力し、その信号をドライバ４ａでＩ−Ｖ変換（電流値を電圧値に変換）する。ドライバ４ａで変換された信号の内、再生データ信号は信号処理部５へ送られ、また、フォーカスエラー信号やトラッキングエラー信号は制御用ＤＳＰ６へ送られる。
【００２０】
信号処理部５では、再生データ信号をデジタル信号化し、アドレス情報などを含むサブコードデータを制御用ＤＳＰ６へ送り、また、メインデータは更にオーディオ信号にＤ／Ａ変換したり、ＩＳＯ９６６０形式のファイルにデコード処理などをする。この際、信号処理部５でデジタル化された信号は出力信号として外部へ出力されることが多い。
【００２１】
制御用ＤＳＰ６は、受け取ったフォーカスエラー信号、トラッキングエラー信号、サブコードデータに基づき、ドライバ４ｄを介して、モータ３の回転数の制御や、ドライバ４ｃを介して、光ピックアップ２のフォーカスや横送りの制御を行う。
【００２２】
次に、このようにして信号処理部５でデジタル信号化した信号をＣＤ−Ｒに記録（コピー）する動作について説明する。
コピー対象に入力された信号が、オーディオ信号やＩＳＯ９６６０ファイル形式の信号であれば、信号処理部５では、Ａ／Ｄ（アナログからデジタルへの変換）処理やエンコード処理などを行ってから、制御用ＤＳＰ６へ信号を送り、また、入力信号が、上述の再生動作で信号処理部５が出力したデジタル信号であれば、そのまま制御用ＤＳＰ６へ信号を送る。
【００２３】
制御用ＤＳＰ６は、信号処理部５からの信号に基づきドライバ４ｂへ記録信号を送り、光ピックアップ２の半導体レーザ２ｃのレーザパワーの制御を行う。
このコピー動作において、コピー対象の信号がオーディオ信号やＩＳＯ９６６０ファイル形式の信号であれば、信号処理部５内で処理されるので、信号の劣化が起こり、何度もコピーを行うとその影響が現れてくる。
【００２４】
しかし、コピー対象の信号が、再生時に信号処理部５から出力されたデジタル信号であれば、信号の劣化が起こらず、コピーを繰り返しても、再生専用のＣＤに記録された信号と同じである。
本例のＣＤ−Ｒドライブでは、信号処理部５にコピー対応部８を設けることにより、このようなデジタル信号の繰り返しコピーができないようにしている。
【００２５】
すなわち、信号処理部５は、コピー対応部８において、判別部８ａにより、コピー対象として受け取った信号がオーディオ信号やＩＳＯ９６６０ファイル形式の信号であるか、あるいは、デジタル信号であることを判別し、オーディオ信号やＩＳＯ９６６０ファイル形式の信号であれば、従来と同じ処理内容で記録を行う。しかし、デジタル信号であれば、信号編集部８ｂにより、例えば、規格外の信号を、再生時に読み飛ばしても支障のない領域に記録されるように生成し、制御用ＤＳＰ６を介して、ＣＤ−Ｒへ記録させる。
【００２６】
次に、このようにして、通常のＣＤドライブでは再生できないような規格外の信号を一部に含むデジタル信号が記録されたＣＤ−Ｒからの情報の再生を行う際の動作について説明する。
【００２７】
このようにして、通常のＣＤドライブでは再生できないような規格外の信号を一部に含むデジタル信号が記録されたＣＤ−Ｒからの情報の再生を行う際、通常のＣＤドライブやＣＤ−Ｒドライブでは、再生中の信号に、この規格外の信号があれば、その信号に対する処理が行えずエラーとなり再生処理ができない。
【００２８】
これに対して、本例のＣＤ−Ｒドライブでは、信号処理部５に設けられたコピー対応部８における判別部８ａで、この規格外の信号を判別し、信号操作部８ｃを起動し、その判別した信号を読み飛ばすよう処理することによりエラーを回避し、次からの信号の再生処理を継続する。
【００２９】
また、本例のＣＤ−Ｒドライブでは、このような再生動作において読み飛ばした規格外の信号は直接外部に出力しない。これにより、ＣＤ−Ｒ（光ディスク１）にコピーされた規格外信号を含むデジタル信号のコピーを防止する。尚、もしＣＤ−Ｒドライブを改造して、このような判断処理を行わないようにした場合には、通常のＣＤ−Ｒドライブと同様に、規格外の信号によりエラーが発生し、ＣＤ−Ｒ（光ディスク１）にコピーされたデジタル信号を再生することができなくなるので、規格外の信号は出力されない。
【００３０】
また、本例のＣＤ−Ｒドライブにおいては、この再生動作が、コピー動作に伴うものであれば、コピー対応部８は、判別部８ａにより規格外の信号を判別すると、規格外の信号を制御用ＤＳＰ６に送ることなく直ちに、処理を中止させる指示信号を出力する。この指示信号に基づき、ＣＤ−Ｒドライブでは、コピー動作を中止し、エラー表示およびＣＤ−Ｒのイジェクト処理等を行う。
【００３１】
このことにより、再生動作において規格外の信号を出力できるようにＣＤ−Ｒドライブの改造が行われた場合であっても、コピー動作に伴うものであれば、受け取った規格外の信号の制御用ＤＳＰ６を介しての光ディスク（ＣＤ−Ｒ）への記録はなされない。
【００３２】
以下、このようなＣＤ−Ｒドライブの処理動作例をさらに詳細に説明する。
【００３３】
図２は、本発明に係わる光ディスクの第１のフォーマット例を示す説明図である。
本図２はＣＤを例に示しており、このＣＤにおいては、信号は、内周からＬｉｎ（Lead In、リードイン）領域、Ｄａｔａ（データ）領域、Ｌｏｕｔ（Lead Out、リードアウト）領域の順に記録されている。この信号はＥＦＭ（Eight to Fourteen Modulation）変調で３Ｔ〜１１Ｔの長さを持つピットとして形成されている。
【００３４】
また、Ｌｉｎ領域の先頭に、ディスクのＴＯＣ（Table of Contents）情報がサブコードとして記録されており、残りのＬｉｎ領域にはダミーの信号が記録されている。
通常、ＣＤドライブは最初にＬｉｎ領域を再生する。
【００３５】
Ｌｉｎ領域の信号を記録する際にはＴＯＣ情報を記録するが、図１におけるＣＤ−Ｒドライブでは、そのＴＯＣの最後に、すなわち、ダミー信号として３Ｔ〜１１Ｔの長さでない規格外のピットを記録した規格外トラックを作成する。
【００３６】
この規格外トラックのピットは、３Ｔ〜１１Ｔの長さを持つピットではないので、通常のＣＤドライブが最初にＬｉｎを再生しようとしても信号処理ができず、その結果、ＣＤの情報を再生することができない。
【００３７】
これに対して、図１におけるＣＤ−Ｒドライブでは、再生動作時には、このような規格外トラックをコピー対応部８の判別部８ａで検出し、信号操作部８ｃにより、その規格外トラック部分を読み飛ばしたり、あるいは認識しないようにすることにより、Ｌｉｎ領域の信号およびＣＤ全体の情報を再生する。
【００３８】
しかし、コピー（記録）動作に伴う再生処理であれば、図１のＣＤ−Ｒドライブは、規格外トラックを検出した場合、直ちに再生およびコピー（記録）動作を中止することにより、デジタルコピーを行えないようにしている。
【００３９】
図３は、本発明に係わる光ディスクの第２のフォーマット例を示す説明図である。
本図３に示すＣＤの例では、ＴＯＣの後のダミー信号を、ＥＦＭ変調でない変調方式、例えばＭＯ（Magneto Optical disc、光磁気ディスク）の変調に用いられる「２−７」変調で記録する。
【００４０】
従って、通常のＣＤドライブが最初にＬｉｎを再生しようとしても、変調方式が異なり信号処理ができず、その結果、ＣＤの情報を再生することができない。
【００４１】
これに対して、図１におけるＣＤ−Ｒドライブでは、再生動作時には、Ｌｉｎ領域におけるダミー信号がＥＦＭ変調でない変調方式で変調されていることをコピー対応部８の判別部８ａで検出し、信号操作部８ｃにより、そのダミー信号を読み飛ばしたり、あるいは認識しないようにすることにより、Ｌｉｎ領域の他の信号およびＣＤ全体の情報を再生することができる。
【００４２】
しかし、コピー（記録）動作時での再生処理であれば、図１のＣＤ−Ｒドライブは、Ｌｉｎ領域におけるダミー信号がＥＦＭ変調でない変調方式で変調されていることを検出した場合、直ちに再生および記録動作を中止することにより、デジタルコピーを行えないようにしている。
【００４３】
図４は、本発明に係わる光ディスクの第３のフォーマット例を示す説明図である。
本図４に示すＣＤの例では、ＴＯＣ情報を「２−７」変調で記録する。従って、通常のＣＤドライブが最初にＬｉｎを再生しようとしてもＴＯＣ情報がＥＦＭ変調でないので信号処理ができず、その結果、ＣＤの情報を再生することができない。
【００４４】
これに対して、図１におけるＣＤ−Ｒドライブでは、再生動作時には、ＴＯＣ情報が「２−７」変調方式で変調されていることをコピー対応部８の判別部８ａで検出し、信号操作部８ｃにより、そのＴＯＣ情報を「２−７」変調方式で変調することにより、Ｌｉｎ領域の信号およびＣＤ全体の情報を再生することができる。
【００４５】
しかし、コピー（記録）動作時での再生処理であれば、図１のＣＤ−Ｒドライブは、ＴＯＣ情報が「２−７」変調方式で変調されていることを検出した場合、直ちに再生およびコピー（記録）動作を中止することにより、デジタルコピーを行えないようにしている。
【００４６】
図５は、本発明に係わる光ディスクの第４のフォーマット例を示す説明図である。
本図５に示すＣＤの例では、Ｌｉｎ領域とＤａｔａ領域との間に、規格外の信号からなるトラックを記録する。従って、通常のＣＤドライブでこのように記録されたＣＤを再生しようとした場合、Ｄａｔａ領域を再生する前に規格外のトラックがあるために、再生することができない。
【００４７】
これに対して、図１におけるＣＤ−Ｒドライブでは、再生動作時には、Ｌｉｎ領域とＤａｔａ領域との間に規格外のトラックが記録されていることをコピー対応部８の判別部８ａで検出し、信号操作部８ｃにより、その規格外のトラック部分を読み飛ばしたり、あるいは認識しないようにすることにより、Ｄａｔａ領域の信号を再生することができる。
【００４８】
しかし、コピー（記録）動作時での再生処理であれば、図１のＣＤ−Ｒドライブは、Ｌｉｎ領域とＤａｔａ領域との間に規格外のトラックが記録されていることをコピー対応部８の判別部８ａで検出した場合、直ちに再生およびコピー（記録）動作を中止することにより、デジタルコピーを行えないようにしている。
【００４９】
図６は、本発明に係わる光ディスクの第５のフォーマット例を示す説明図である。
本図６に示すＣＤの例では、Ｄａｔａ領域にランダムあるいは規則的に、規格外の信号からなるトラックを記録する。従って、通常のＣＤドライブでこのように記録されたＣＤを再生しようとした場合、Ｄａｔａ領域を再生する際に規格外のトラックがあるために、再生することができない。
【００５０】
これに対して、図１におけるＣＤ−Ｒドライブでは、再生動作時には、Ｄａｔａ領域に規格外のトラックが記録されていることをコピー対応部８の判別部８ａで検出し、信号操作部８ｃにより、その規格外のトラック部分を読み飛ばしたり、あるいは認識しないようにすることにより、Ｄａｔａ領域の信号を再生することができる。
【００５１】
しかし、コピー（記録）動作時での再生処理であれば、図１のＣＤ−Ｒドライブは、Ｄａｔａ領域に規格外のトラックが記録されていることをコピー対応部８の判別部８ａで検出した場合、直ちに再生およびコピー（記録）動作を中止することにより、デジタルコピーを行えないようにしている。
【００５２】
図７は、本発明に係る光情報記録再生方法の処理例を示すフローチャートである。
本例は、図１におけるＣＤ−Ｒドライブの処理動作例を示すものであり、コピー（記録）動作が指示されれば（ステップ７０１）、信号がオーディオ信号やＩＳＯ９６６０ファイル形式の信号（アナログ信号）か、あるいはデジタル信号かを判別する（ステップ７０２）。
【００５３】
デジタル信号であれば、Ｌｉｎ、Ｄａｔａ、Ｌｏｕｔの各領域からの信号の判別を行う（ステップ７０３）。
その際、規格外の信号を読取ると（ステップ７０４）、直ちに読み出し動作およびコピー（記録）動作を中止する（ステップ７０５）。規格外信号を検出することなく判別動作が完了すれば（ステップ７０６）、当該デジタル信号と共に規格外の信号を記録してコピー処理を行う（ステップ７０７）。
【００５４】
尚、ステップ７０２の処理において、オーディオ信号やＩＳＯ９６６０ファイル形式の信号すなわちアナログ信号と判別すれば、通常のコピー処理を行う（ステップ７０８）。
【００５５】
また、ステップ７０１においての指示が、コピー（記録）動作でなく、再生動作であれば（ステップ７０９）、Ｌｉｎ、Ｄａｔａ、Ｌｏｕｔの各領域からの信号を読み出す（ステップ７１０）。
【００５６】
その際、規格外の信号を読取ると（ステップ７１１）、その信号を読み飛ばして、あるいは、認識しないようにして再生する（ステップ７１２）。規格外信号が無ければ通常の再生を行う（ステップ７１３）。
【００５７】
図８は、本発明に係る光情報再生装置の構成例を示すブロック図である。
本図８においては、光情報再生装置としてＣＤドライブを例に示しており、光ディスク２１、光ピックアップ２２、モータ２３、ドライバ２４ａ，２４ｃ，２４ｄ、信号処理部２５、制御用ＤＳＰ２６、サーボ処理部２７により構成されている。
【００５８】
本例における光ピックアップ２２、モータ２３、ドライバ２４ａ，２４ｃ，２４ｄ、制御用ＤＳＰ２６、サーボ処理部２７のそれぞれは、図１における光ピックアップ２、モータ３、ドライバ４ａ，４ｃ，４ｄ、制御用ＤＳＰ６、サーボ処理部７のそれぞれと同様のものであるが、信号処理部２５におけるコピー対応部２８は、判別部２８ａと信号操作部２８ｃからなる。
【００５９】
このような構成により、本例のＣＤドライブでは、以下のようにして再生動作を行う。
光ディスク２１に、光ピックアップ２２の半導体レーザ（ＬＤ）からのレーザ光をビームスプリッタや対物レンズを介して照射し、その反射光を、対物レンズおよびビームスプリッタを介して光検出器（ＰＤ）で受光する。
【００６０】
光検出器は、受光した反射光の強度に対応した電気信号を出力し、その信号をドライバ２４ａでＩ−Ｖ変換（電流値を電圧値に変換）する。ドライバ２４ａで変換された信号の内、再生データ信号は信号処理部２５へ送られ、また、フォーカスエラー信号やトラッキングエラー信号は制御用ＤＳＰ２６へ送られる。
【００６１】
信号処理部２５では、再生データ信号をデジタル信号化し、アドレス情報などを含むサブコードデータを制御用ＤＳＰ２６へ送り、また、メインデータは更にオーディオ信号にＤ／Ａ変換したり、ＩＳＯ９６６０形式のファイルにデコード処理などをする。
【００６２】
制御用ＤＳＰ２６は、受け取ったフォーカスエラー信号、トラッキングエラー信号、サブコードデータに基づき、ドライバ２４ｄを介して、モータ２３の回転数の制御や、ドライバ２４ｃを介して、光ピックアップ２２のフォーカスや横送りの制御を行う。
【００６３】
このような再生動作の際に、規格外の信号が含まれている場合、すなわち、光ディスク２１が、図１におけるＣＤ−Ｒドライブにより、図２〜図６のそれぞれで示されるフォーマットでコピーされたものであれば、信号処理部２５では、コピー対応部２８における判別部２８ａにより、その規格外の信号を検出し、信号操作部２８ｃを起動し、検出した規格外の信号を読み飛ばし、あるいは復調してエラー検知を回避する。
【００６４】
図９は、本発明に係る光情報再生方法の処理例を示すフローチャートである。本例は、図８におけるＣＤドライブの処理動作例を示すものであり、図７で示したＣＤ−Ｒドライブの動作におけるステップ７０９からステップ７１３と同じ処理である。
【００６５】
すなわち、再生動作が指示されると（ステップ９０１）、Ｌｉｎ、Ｄａｔａ、Ｌｏｕｔの各領域からの信号を読み出す（ステップ９０２）。その際、規格外の信号を読取ると（ステップ９０３）、その信号を読み飛ばして、あるいは、認識しないようにして、または、当該方式で復調して再生する（ステップ９０４）。規格外信号が無ければ通常の再生を行う（ステップ９０５）。
【００６６】
以上、図１〜図９を用いて説明したように、本例の光情報記録装置と光情報再生装置および光情報記録方法と光情報再生方法では、例えばＣＤからＣＤ−Ｒへのコピー時に、コピー対象の情報の内、再生時に読み飛ばしても支障のない部分に規格外の信号を、通常のシーク動作でアクセスされるＬｉｎ、Ｄａｔａ、Ｌｏｕｔの各領域等に記録することにより、この規格外の信号に対応する特定の手段（判別部８ａ、信号編集部８ｂ、信号操作部８ｃからなるコピー対応部８や判別部２８ａ、信号操作部２８ｃからなるコピー対応部２８）を有しないＣＤ−ＲドライブやＣＤドライブではコピー処理や再生処理ができないようにしている。
【００６７】
ここでの規格外の信号としては、例えばＣＤ−Ｒであれば、３Ｔ〜１１Ｔ以外の長さのピットや、２−７変調等のＥＦＭ変調以外で変調した信号等があり、これらの規格外の信号をＴＯＣ後のダミー信号の代わりに記録したり、これらの規格外の信号を、Ｄａｔａ領域前やＤａｔａ領域内に追加して記録する。
【００６８】
これらの規格外の信号に対応する特定の手段として、判別部８ａや信号編集部８ｂ、信号操作部８ｃからなるコピー対応部８、あるいは、判別部２８ａや信号操作部２８ｃからなるコピー対応部２８を設け、再生時には、その規格外の信号を検出すると、その信号を読み飛ばすか、認識しないようにする。もしくは対応する変調方式で変調する。また、コピー時には、その信号を検出すると、直ちに再生およびコピー動作を中止する。
【００６９】
このような動作により、例えば光ディスクの複製を１回に制限することができ、大量の不正コピーを防止することが可能である。
【００７０】
尚、本発明は、図１〜図９を用いて説明した例に限定されるものではなく、その要旨を逸脱しない範囲において種々変更可能である。例えば、本例では、ＣＤ−ＲドライブおよびＣＤドライブを例にして説明したが、本発明はこれに限ることはなく、ＤＶＤドライブやそのライターにも応用できるし、さらに、高密度の光ディスクおよびそのライター等にも応用できる。
【００７１】
また、本例では、規格外の信号を、ＴＯＣやＤａｔａ領域前やＤａｔａ領域内に記録することにより、また、規格外の信号として「２−７変調」による信号を用いることにより、コピーや再生を制限しているが、その他の領域への記録、あるいは、その他の変調方式を用いることでも、さらに、それぞれを組み合わせることでも良い。
【００７２】
また、本例では、オーディオ信号やＩＳＯ９６６０ファイル形式の信号に関しては、コピープロテクトを施さないようにしているが、これらの信号に対してもコピープロテクトを施すようしても良い。
【００７３】
【発明の効果】
本発明によれば、通常のシーク動作でアクセス可能な領域を用いて、コピーディスクからの不正なコピーならびに再生を禁止させることができ、光ディスクの不正なコピーを効率的に防止することが可能である。
【００７４】
例えば、光ディスクをコピーする際には、通常のシーク動作でアクセスされるＬｉｎ、Ｄａｔａ、Ｌｏｕｔの各領域等に、従来の光情報再生装置では再生できない信号を記録することにより、このコピーディスクからのさらなるコピーが不可能となり、不正コピーされた光情報記録媒体の普及を防止することができる。
【００７５】
再生時には、再生できない信号を判別して、その信号を読み飛ばす手段を設けることにより、コピーディスクからの再生が可能であるが、コピー動作に伴う再生動作であれば、直ちに再生およびコピー動作を中止することができ、このコピーディスクからのさらなるコピーを防止することが可能である。
【図面の簡単な説明】
【図１】本発明に係る光情報記録装置の構成例を示すブロック図である。
【図２】本発明に係わる光ディスクの第１のフォーマット例を示す説明図である。
【図３】本発明に係わる光ディスクの第２のフォーマット例を示す説明図である。
【図４】本発明に係わる光ディスクの第３のフォーマット例を示す説明図である。
【図５】本発明に係わる光ディスクの第４のフォーマット例を示す説明図である。
【図６】本発明に係わる光ディスクの第５のフォーマット例を示す説明図である。
【図７】本発明に係る光情報記録再生方法の処理例を示すフローチャートである。
【図８】本発明に係る光情報再生装置の構成例を示すブロック図である。
【図９】本発明に係る光情報再生方法の処理例を示すフローチャートである。
【符号の説明】
１：光ディスク、２：光ピックアップ、２ａ：対物レンズ、２ｂ：ビームスプリッタ、２ｃ：レーザ半導体（「ＬＤ」）、２ｄ：光検出器（「ＰＤ」）、３：モータ、４ａ〜４ｄ：ドライバ、５：信号処理部、６：制御用ＤＳＰ、７：サーボ処理部、８：コピー対応部、８ａ：判別部、８ｂ：信号編集部、８ｃ：信号操作部、２１：光ディスク、２２：光ピックアップ、２３：モータ、２４ａ，２４ｃ，２４ｄ：ドライバ、２５：信号処理部、２６：制御用ＤＳＰ、２７：サーボ処理部、２８：コピー対応部、２８ａ：判別部、２８ｃ：信号操作部。
【図１】
0004003155.tif 000002
【図２】
0004003155.tif 000003
【図３】
0004003155.tif 000004
【図４】
0004003155.tif 000005
【図５】
0004003155.tif 000006
【図６】
0004003155.tif 000007
【図７】
0004003155.tif 000008
【図８】
0004003155.tif 000009
【図９】
0004003155.tif 000010